(57)【要約】【課題】簡易な操作によってテレビ番組Ｂ２をそれだけ含む１つのタイトルで録画し、ユーザの操作性と使い勝手を向上させた録画装置を提供する。【解決手段】録画キーが２回押下されると、光ディスク装置１は、テレビ番組Ｂ１をＥＰＧに基づいて放送終了時刻までメディアに録画した後に、テレビ番組Ｂ１の次に放送されるテレビ番組Ｂ２を、ＥＰＧに基づいて放送開始時刻から放送終了時刻まで光ディスク１００に録画する。この結果、光ディスク１００は、ＴＶ番組Ｂ１だけを含むタイトルＲ１と、ＴＶ番組Ｂ２だけを含むタイトルＲ２と、が録画された状態となる（図３（２）参照）。テレビ番組Ｂ２を録画したいと考えた場合、ユーザは、録画キーを２回押下するだけで済む。また、テレビ番組Ｂ１とＢ２が別々のタイトルで録画されるので、ユーザはテレビ番組Ｂ２だけを選んで再生できる。【選択図】  図３
2008301405.tif 000002
【特許請求の範囲】
【請求項１】
放送局から伝送されるテレビ放送信号を受信して、選択されているチャンネルで放送されるテレビ番組と、該テレビ放送信号の各チャンネルで放送される各テレビ番組の放送開始時刻および放送終了時刻を示す電子番組表と、を抽出する受信手段と、
前記選択されているチャンネルのテレビ番組の録画を受付ける録画キーを有する操作手段と、
前記録画キーが操作されると、前記選択されているチャンネルで現在放送されている第１のテレビ番組をメディアに録画する録画手段と、を備える録画装置において、
前記録画手段は、前記録画中に前記録画キーが再び操作されると、前記第１のテレビ番組を前記電子番組表に基づいて前記放送終了時刻まで前記メディアに録画した後に、前記第１のテレビ番組の次に放送される第２のテレビ番組を、前記電子番組表に基づいて前記放送開始時刻から前記放送終了時刻まで前記メディアに録画する録画装置。
【請求項２】
前記録画中に前記録画キーが再び操作されると、前記第２のテレビ番組を録画する旨のメッセージを表示する表示手段を備える請求項１に記載の録画装置。
【請求項３】
前記録画手段は、前記録画キーが合計３回操作されると、前記第１のテレビ番組および前記第２のテレビ番組を前記電子番組表に基づいて前記メディアに録画した後に、前記第２のテレビ番組の次に放送される第３のテレビ番組を、前記電子番組表に基づいて前記放送開始時刻から前記放送終了時刻まで前記メディアに録画する請求項１又は２に記載の録画装置。
【請求項４】
前記メディアは、ハードディスク又は光ディスクである請求項１から３のいずれかに記載の録画装置。
【発明の詳細な説明】
【技術分野】
【０００１】
本発明は、地上波放送、衛星放送、ケーブル放送等によるテレビ番組を受信し、ＨＤ（ハードディスク）やＤＶＤ（ディジタルバーサタイルディスク）等のメディアに録画する録画装置に関するものである。
【背景技術】
【０００２】
近年、放送局から伝送されるテレビ番組をメディアに録画する録画装置が普及している。メディアは、例えばハードディスク、半導体メモリ、ＤＶＤなどの光ディスクである。
従来の録画装置においても、選択されているチャンネルのテレビ番組の録画を受付ける録画キーと、その録画の停止を受付ける停止キーと、を有する操作部が備えられている。
【０００３】
図４は、従来の録画装置によってテレビ番組をメディアに録画した場合に、該メディアに録画される内容を示す図である。図４の（０）は、選択されているチャンネルで放送されるテレビ番組Ｂ１〜Ｂ３を時系列で示している。このチャンネルは、時刻ｔの時にユーザが選択しているチャンネルとする。時刻ｔは、テレビ番組Ｂ１が終了間際であってテレビ番組Ｂ２が始まる前の時刻（例えばpm7:55）である。
【０００４】
時刻ｔでテレビ番組Ｂ２を録画したいと考えた場合、ユーザは、時刻ｔで上記の録画キーを押下する。すると、録画装置は、録画キーが押下されたタイミングで録画を開始する。そして、テレビ番組Ｂ２が終了するのを待ってユーザは停止キーを押下する。すると、録画装置は、停止キーが押下されたタイミングで録画を終了する。
このようにして、ユーザは従来の録画装置においてテレビ番組Ｂ２を録画していた（図４の（１）参照）。
一方、特許文献１では、番組記録装置が提案されている。
【特許文献１】特開２００４−０６４４６２公報
【発明の開示】
【発明が解決しようとする課題】
【０００５】
しかしながら、テレビ番組Ｂ２を録画したいと考えた場合、テレビ番組Ｂ２を注視し、テレビ番組Ｂ２が終了するのを待って停止キーを押下しなければならない。そのため、従来の録画装置では、テレビ番組Ｂ２の録画に非常に手間がかかっていた。
また、テレビ番組Ｂ２をずっと注視するわけにもいかないため、おおよそのタイミングでユーザが録画キーや停止キーを押下すると、従来の録画装置は、テレビ番組Ｂ１及びＢ３を若干含めて録画してしまう。この場合、例えば図４に示すように、テレビ番組Ｂ１〜Ｂ３が１つのタイトルＲ０としてメディアに録画されてしまう。そのため、録画したテレビ番組Ｂ２を視聴するために該タイトルＲ０を再生する際、視聴を希望しないテレビ番組Ｂ１及びＢ３が邪魔になってしまう。そのため、従来の録画装置では、ユーザの使い勝手も悪かった。
【０００６】
本発明はこのような従来の課題を解決しようとするものであり、簡易な操作によってテレビ番組Ｂ２をそれだけ含む１つのタイトルで録画し、ユーザの操作性と使い勝手を向上させた録画装置を提供することを目的とする。
【課題を解決するための手段】
【０００７】
本発明の録画装置は、前記課題を解決するために以下の構成を備えている。
【０００８】
（１）放送局から伝送されるテレビ放送信号を受信して、選択されているチャンネルで放送されるテレビ番組と、該テレビ放送信号の各チャンネルで放送される各テレビ番組の放送開始時刻および放送終了時刻を示す電子番組表と、を抽出する受信手段と、
前記選択されているチャンネルのテレビ番組の録画を受付ける録画キーを有する操作手段と、
前記録画キーが操作されると、前記選択されているチャンネルで現在放送されている第１のテレビ番組をメディアに録画する録画手段と、を備える録画装置において、
前記録画手段は、前記録画中に前記録画キーが再び操作されると、前記第１のテレビ番組を前記電子番組表に基づいて前記放送終了時刻まで前記メディアに録画した後に、前記第１のテレビ番組の次に放送される第２のテレビ番組を、前記電子番組表に基づいて前記放送開始時刻から前記放送終了時刻まで前記メディアに録画する。
【０００９】
この構成において、メディアは、例えば半導体メモリ、ハードディスク又は光ディスクである。
この構成では、第１のテレビ番組を視聴中に第２のテレビ番組を録画したいと考え、ユーザが第１のテレビ番組の放送終了間際に録画キーを押下する場面を想定している。
録画キーが押下されると、録画手段は、第１のテレビ番組の録画を開始する。そして、第１のテレビ番組の放送終了時刻がくると、録画手段は、電子番組表に基づいて、第１のテレビ番組の録画を終了する。この結果、メディアは、第１のテレビ番組の終盤だけを含む第１のタイトルが録画された状態となる。
さらに、第１のテレビ番組の録画の終了後、録画手段は、第２のテレビ番組を、電子番組表に基づいて放送開始時刻から放送終了時刻までメディアに録画する。この結果、メディアは、第１のテレビ番組だけを含む第１のタイトルと、第２のテレビ番組だけを含む第２のタイトルと、が録画された状態となる。
以上より、第２のテレビ番組を録画したいと考えた場合、ユーザは、録画キーを２回操作するだけで済む。このため、第２のテレビ番組を注視し、第２のテレビ番組が終了するのを待って停止キーを操作しなくとも済む。
また、第１のテレビ番組と第２のテレビ番組が別々のタイトルでメディアに録画されるので、ユーザは第２のテレビ番組だけを選んで再生できる。従って、視聴を希望しない第１のテレビ番組及び第３のテレビ番組が邪魔になることも無い。
従って、ユーザの操作性と使い勝手を向上できる。
【００１０】
（２）前記録画中に前記録画キーが再び操作されると、前記第２のテレビ番組を録画する旨のメッセージを表示する表示手段を備える。
【００１１】
この構成において、メッセージは、例えば「第１のテレビ番組だけでなく、第２のテレビ番組も録画します」である。これにより、ユーザは、第２のテレビ番組も録画されることを把握することができる。
【００１２】
（３）前記録画手段は、前記録画キーが合計３回操作されると、前記第１のテレビ番組および前記第２のテレビ番組を前記電子番組表に基づいて前記メディアに録画した後に、前記第２のテレビ番組の次に放送される第３のテレビ番組を、前記電子番組表に基づいて前記放送開始時刻から前記放送終了時刻まで前記メディアに録画する。
【００１３】
この構成により、メディアは、第１のテレビ番組だけを含む第１のタイトルと、第２のテレビ番組だけを含む第２のタイトルと、第３のテレビ番組だけを含む第３のタイトルと、が録画された状態となる。
以上より、第２のテレビ番組及び第３のテレビ番組を録画したいと考えた場合、ユーザは、録画キーを３回操作するだけで済む。このため、第３のテレビ番組を注視し、第３のテレビ番組が終了するのを待って停止キーを操作しなくとも済む。
また、第１のテレビ番組〜第３のテレビ番組が別々のタイトルで録画されるので、第２のテレビ番組および第３のテレビ番組のいずれか一方だけを選んで再生できる。従って、視聴を希望しない第１のテレビ番組等が邪魔になることも無い。
従って、第２のテレビ番組の次に放送される第３のテレビ番組を録画する場合における、ユーザの操作性と使い勝手を向上できる。
【００１４】
（４）前記メディアは、ハードディスク又は光ディスクである。
【００１５】
この構成において、光ディスクは、ＤＶＤ−Ｒ、ＤＶＤ＋Ｒ、ＤＶＤ−ＲＷ、ＤＶＤ＋ＲＷ、ＤＶＤ−ＲＡＭ、又はブルーレイディスクである。
【発明の効果】
【００１６】
この発明によれば、ユーザの操作性と使い勝手を向上できる。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録再生部３と、ユーザによる入力操作を受け付ける操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオ・ビデオ）データを取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、ＤＶＤ−ＲＡＭ、又はブルーレイディスクである。
【００１９】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源である。フォトディテクタは、複数の受光素子で形成されており、光ディスク１００からの反射光を検出する。
【００２０】
ここで、ＰＵヘッド２、記録再生部３および制御部４が、本発明の「録画手段」に相当する。また、表示部７およびテレビジョン１０１が、本発明の「表示手段」に相当する。
【００２１】
まず、テレビモード（放送されるテレビ番組の出力時）の動作について説明する。
受信部１０は、例えばディジタルチューナである。受信部１０は、放送局から伝送されるＴＶ放送信号を、アンテナ（不図示）を介して受信する。さらに、受信部１０は、該ＴＶ放送信号から、選択されているチャンネルで放送されるＴＶ放送信号を抽出し、復調してディジタルデータを取り出す。そして、受信部１０は、そのディジタルデータを記録再生部３に出力する。ディジタルデータは、所謂トランスポートストリームである。また、ディジタルデータには、ＭＰＥＧでエンコードされたＡＶデータと、ＥＰＧデータと、が含まれる。
【００２２】
記録再生部３は、データを一時的に格納するバッファＲＡＭ３Ａを内蔵する。記録再生部３は、受信部１０から出力されたディジタルデータから、映像データと音声データとEPGデータとを分離抽出する。そして、記録再生部３は、抽出した映像と音声等のデータをバッファＲＡＭ３Ａに一旦格納するとともに順次読み出す。さらに、記録再生部３は、制御部４の指示に基づいて、読み出した映像と音声等のデータをデコードする。最後に、記録再生部３は、制御部４の指示に基づいて、音声データをＤ／Ａコンバータ１１に、映像データをＯＳＤ処理部１２に、両データの同期を取りながら、それぞれ出力する。
【００２３】
Ｄ／Ａコンバータ１１は、伸長された音声データをアナログの再生音声信号に変換し、その再生音声信号を外部のテレビジョン１０１に出力する。
【００２４】
ＯＳＤ処理部１２は、ＯＳＤ画像を示すＯＳＤ用データを格納する画像メモリ（不図示）を内臓する。ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。
【００２５】
映像処理部１３は、入力された映像データ、ＯＳＤ画像データまたは合成映像データをアナログの再生映像信号に変換し、外部のテレビジョン１０１に出力する。
【００２６】
Ｄ／Ａコンバータ１１及び映像処理部１３には、スピーカ内臓のテレビジョン１０１が接続されている。ユーザは、このテレビジョン１０１において、Ｄ／Ａコンバータ１１及び映像処理部１３から出力された再生映像信号に基づく映像、及び再生音声信号に基づく音声を視聴する。即ち、ユーザは、このテレビジョン１０１において、選択しているチャンネルで放送されるＴＶ番組を視聴することができる。
【００２７】
一方、記録再生部３は、分離したＥＰＧデータを制御部４に出力する。EPGデータには、各チャンネルで放送されているＴＶ番組の属性（ＴＶ番組名、ＴＶ番組の放送開始時刻および放送終了時刻等）が記述されている。制御部４は、記録再生部３から出力されたEPGデータからＥＰＧを作成して記憶部６に記録する。ここで、EPGデータは、ＥＰＧ（電子番組表）を構成するデータである。
【００２８】
次に、録画モード（テレビ番組の録画時）の動作について説明する。
記録再生部３は、上記と同じく、受信部１０から出力されたディジタルデータから、映像データと音声データとEPGデータとを分離抽出する。しかし、記録再生部３は、制御部４の指示に基づいて、分離したＡＶデータをバッファＲＡＭ３Ａに一旦格納するとともに順次読み出し、ＰＵヘッド２に出力する。
【００２９】
ＰＵヘッド２は、記録再生部３からディジタル信号が入力されると、このディジタル信号に応じて記録パワーのレーザ光を制御し、光ディスク１００の記録面に照射する。これにより、ＴＶ番組などのコンテンツが、光ディスク１００に記録される。
【００３０】
最後に、再生モード（光ディスク１００の再生時）の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００３１】
記録再生部３は、データを一時的に格納するバッファＲＡＭ３Ｂを内蔵する。記録再生部３は、ＰＵヘッド２における複数の受光素子の出力に基づいてＲＦ信号を生成し、前記ＲＦ信号を増幅する。そして、記録再生部３は、前記ＲＦ信号を処理してデータを取り出す。ここで、取り出される映像と音声等のデータは、例えばＭＰＥＧでエンコードされている。そして、記録再生部３は、制御部４の指示に基づいて、取り出した映像と音声等のデータをバッファＲＡＭ３Ｂに一旦格納するとともに順次読み出す。そして、記録再生部３は、読み出した映像と音声等のデータをデコードする。最後に、記録再生部３は、音声データをＤ／Ａコンバータ１１に、映像データをＯＳＤ処理部１２に、両データの同期を取りながら、それぞれ出力する。
【００３２】
そして、Ｄ／Ａコンバータ１１は、テレビモード時と同じく、伸長された音声データをアナログの再生音声信号に変換し、その再生音声信号を外部のテレビジョン１０１に出力する。また、映像処理部１３は、テレビモード時と同じく、入力された映像データ、ＯＳＤ画像データまたは合成映像データをアナログの再生映像信号に変換し、外部のテレビジョン１０１に出力する。
【００３３】
ユーザは、テレビモード時と同じく、テレビジョン１０１において、再生映像信号に基づく映像、及び再生音声信号に基づく音声を視聴することができる。
なお、録画モード時および再生モード時においてもＯＳＤ処理部１２は、上記テレビモードと同じ動作を行う。
【００３４】
操作部５は、ユーザが光ディスク装置１に対して各種の命令（コマンド）を入力するためのものであり、複数のキーが設けられている。光ディスク装置１に対してユーザが入力したコマンドは、操作部５から制御部４に伝送される。
上記複数のキーの中には、チャンネルの選択を受付けるチャンネル選択キーと、光ディスク１００に記録されたコンテンツ（ＴＶ番組）の再生を指示するための再生キーと、選択されているチャンネルで放送されるＴＶ番組の光ディスク１００への録画を指示するための録画キーと、その録画の停止を受付ける停止キーと、が含まれる。ユーザは、このチャンネル選択キーでチャンネルを選択して、テレビ番組（ＴＶ番組）を視聴する。
【００３５】
記憶部６は、例えばＥＥＰＲＯＭで構成されている。記憶部６は、光ディスク装置１の主制御プログラムを記憶する。
【００３６】
表示部７は、例えばLCD（Liquid Crystal Display）で構成される。表示部７は、時刻、光ディスク装置１の設定状態などを表示する。
【００３７】
制御部４は、例えばマイクロコンピュータで構成されている。さらに、制御部４は、上記主制御プログラムで処理されるデータを展開するためのワークフィールドとしてのＲＡＭ（不図示）と、現在時刻を計時するタイマー回路（不図示）と、を内臓する。制御部４は、光ディスク装置１にユーザから入力された命令に応じて光ディスク装置１の各部の動作を制御する。
【００３８】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３９】
図２は、本発明の実施形態である光ディスク装置の制御部が録画キーの押下時に行う動作を示すフローチャートである。図３は、本発明の実施形態である光ディスク装置によってテレビ番組を光ディスク１００に録画した場合に、光ディスク１００に録画される内容を示す図である。ここで、図３の（０）は、選択されているチャンネルで放送されるテレビ番組Ｂ１〜Ｂ３を時系列で示している。このチャンネルは、時刻ｔの時にユーザが選択しているチャンネルとする。時刻ｔは、テレビ番組Ｂ１が終了間際であってテレビ番組Ｂ２が始まる前の時刻（例えばpm7:55）である。そして、図２の動作は、ＴＶ番組Ｂ１を視聴中にテレビ番組Ｂ２を録画したいと考え、ユーザが時刻ｔで録画キーを押下する場面を想定している。
【００４０】
時刻ｔで上記の録画キーが押下されると、制御部４は、テレビモードから録画モードに切り替え、ＰＵヘッド２及び記録再生部３を制御して、選択されているチャンネルで現在放送されているＴＶ番組Ｂ１の録画を開始する（Ｓ１）。この時、制御部４は、さらに、再生モードも実行して追っかけ再生を行う。つまり、光ディスク装置１は、選択されているチャンネルで放送されるＴＶ番組を光ディスク１００に録画するとともに、光ディスク１００に録画したＴＶ番組を再生する。
【００４１】
そして、制御部４は、記憶部６に記憶されているＥＰＧを参照する（Ｓ２）。ここで、制御部４は、ＥＰＧに記述されている、ＴＶ番組Ｂ１の放送終了時刻と、テレビ番組Ｂ２の放送開始時刻および放送終了時刻と、をＲＡＭ上に展開しておく。
【００４２】
現在放送されているＴＶ番組Ｂ１の録画中（Ｓ４）、制御部４は、録画キーが再び操作されたかどうかを判断する（Ｓ３）。現在録画しているＴＶ番組Ｂ１の放送が終了しているかどうかの判断は、ＥＰＧに記述されているＴＶ番組Ｂ１の放送終了時刻と、タイマー回路における現在時刻と、を比較することにより行われる。
【００４３】
録画キーが再び操作されずにＴＶ番組Ｂ１が放送終了すると、即ち、録画キーが１回操作されただけの場合、制御部４は、ＰＵヘッド２及び記録再生部３を制御して、録画を停止する（Ｓ５）。そして、制御部４は、本処理を終了する。この結果、光ディスク１００は、ＴＶ番組Ｂ１の終盤だけを含むタイトルＲ１が録画された状態となる（図３（１）参照）。
なお、この実施形態では、Ｓ５において録画を停止しているが、停止キーが押下されるまで録画を継続しても構わない。
【００４４】
一方、録画中に録画キーが再び操作されると、制御部４は、テレビ番組Ｂ２を録画する旨のメッセージを表示部７又はテレビジョン１０１で表示する（Ｓ６）。このメッセージは、例えば「テレビ番組Ｂ１だけでなく、テレビ番組Ｂ２も録画します」である。これにより、ユーザは、テレビ番組Ｂ２も録画されることを把握することができる。
なお、Ｓ６においてテレビジョン１０１で表示されるメッセージは、ＯＳＤである。
【００４５】
制御部４は、ＥＰＧに基づいて、現在録画しているＴＶ番組Ｂ１の放送が終了しているかどうかを判断する（Ｓ７）。Ｓ７の判断は、Ｓ４と同じである。ＴＶ番組Ｂ１の放送が終了するまでの間に停止キーが押下されると、制御部４は、テレビ番組Ｂ２の録画を取り消し、Ｓ８の処理の後、本処理を終了する。Ｓ７では、ＴＶ番組Ｂ１の放送が終了するまでの間に、ユーザが停止キーを押下してテレビ番組Ｂ２の録画を取り消すことができる状態となっている。
【００４６】
ＴＶ番組Ｂ１の放送が終了すると（Ｓ７）、即ち、ＴＶ番組Ｂ１の放送終了時刻までＴＶ番組Ｂ１を光ディスク１００に録画すると、制御部４は、ＰＵヘッド２及び記録再生部３を制御して、録画を一旦停止する（Ｓ８）。これにより、記録再生部３は、ＴＶ番組Ｂ１の終盤だけでＡＶデータを閉じ、１つのタイトルＲ１にする。この結果、光ディスク１００は、ＴＶ番組Ｂ１の終盤だけを含むタイトルＲ１が録画された状態となる（図３（２）又は（３）参照）。
【００４７】
そして、制御部４は、ＥＰＧに記述されているテレビ番組Ｂ２の放送開始時刻に基づいて、テレビ番組Ｂ１の次に放送されるテレビ番組Ｂ２の録画を開始する（Ｓ９）。そして、録画キーが合計２回操作された場合（Ｓ１０）、制御部４は、Ｓ３に戻り処理を継続する。そして、制御部４はＳ５において録画を停止する。即ち、光ディスク装置１は、テレビ番組Ｂ１をＥＰＧに基づいて放送終了時刻までメディアに録画した後に、テレビ番組Ｂ１の次に放送されるテレビ番組Ｂ２を、ＥＰＧに基づいて放送開始時刻から放送終了時刻まで光ディスク１００に録画する。これにより、記録再生部３は、ＴＶ番組Ｂ２だけでＡＶデータを閉じ、１つのタイトルＲ２にする。この結果、光ディスク１００は、ＴＶ番組Ｂ１だけを含むタイトルＲ１と、ＴＶ番組Ｂ２だけを含むタイトルＲ２と、が録画された状態となる（図３（２）参照）。
【００４８】
以上より、テレビ番組Ｂ２を録画したいと考えた場合、ユーザは、録画キーを２回押下するだけで済む。このため、テレビ番組Ｂ２を注視し、テレビ番組Ｂ２が終了するのを待って停止キーを押下しなくとも済む。
また、図３（２）に示すように、テレビ番組Ｂ１とＢ２が別々のタイトルで録画されるので、ユーザはテレビ番組Ｂ２だけを選んで再生できる。従って、視聴を希望しないテレビ番組Ｂ１及びＢ３が邪魔になることも無い。
従って、ユーザの操作性と使い勝手を向上できる。
【００４９】
なお、録画したＴＶ番組Ｂ２は、再生モードで視聴できる。ユーザは、再生キーを押下して再生モードに切替える。
【００５０】
一方、録画キーが合計３回押下された場合（Ｓ１０）、制御部４は、Ｓ６に戻り処理を継続する。そして、制御部４はＳ９の直後にＳ３に戻り、Ｓ５において録画を停止する。即ち、光ディスク装置１は、テレビ番組Ｂ１およびテレビ番組Ｂ２をＥＰＧに基づいて光ディスク１００に録画した後に、テレビ番組Ｂ２の次に放送されるテレビ番組Ｂ３を、ＥＰＧに基づいて放送開始時刻から放送終了時刻まで光ディスク１００に録画する。これにより、記録再生部３は、ＴＶ番組Ｂ２だけでＡＶデータを閉じ、１つのタイトルＲ２にする。また、記録再生部３は、ＴＶ番組Ｂ３だけでＡＶデータを閉じ、１つのタイトルＲ３にする。この結果、光ディスク１００は、ＴＶ番組Ｂ１だけを含むタイトルＲ１と、ＴＶ番組Ｂ２だけを含むタイトルＲ２と、ＴＶ番組Ｂ３だけを含むタイトルＲ３と、が録画された状態となる（図３（３）参照）。
【００５１】
以上より、テレビ番組Ｂ２及びＢ３を録画したいと考えた場合、ユーザは、録画キーを３回押下するだけで済む。このため、テレビ番組Ｂ３を注視し、テレビ番組Ｂ３が終了するのを待って停止キーを押下しなくとも済む。
また、図３（３）に示すように、テレビ番組Ｂ１〜Ｂ３が別々のタイトルで録画されるので、テレビ番組Ｂ２及びＢ３のいずれか一方だけを選んで再生できる。従って、視聴を希望しないテレビ番組Ｂ１等が邪魔になることも無い。
従って、テレビ番組Ｂ２の次に放送されるテレビ番組Ｂ３を録画する場合における、ユーザの操作性と使い勝手を向上できる。
【００５２】
なお、録画したＴＶ番組Ｂ２及びＢ３は、再生モードで視聴できる。ユーザは、再生キーを押下して再生モードに切替える。
【図面の簡単な説明】
【００５３】
【図１】本発明の実施形態である光ディスク装置の主要な構成を示すブロック図
【図２】本発明の実施形態である光ディスク装置の制御部が録画キーの押下時に行う動作を示すフローチャート
【図３】本発明の実施形態である光ディスク装置によってテレビ番組を光ディスク１００に録画した場合に、光ディスク１００に録画される内容を示す図
【図４】従来の録画装置によってテレビ番組をメディアに録画した場合に、メディアに録画される内容を示す図
【符号の説明】
【００５４】
１−光ディスク装置
２−ピックアップヘッド
３−記録再生部
４−制御部
５−操作部
６−記憶部
７−表示部
１０−受信部
１１−Ｄ／Ａコンバータ
１２−ＯＳＤ処理部
１３−映像処理部
１００−光ディスク
１０１−テレビジョン
【図１】
2008301405.tif 000003
【図２】
2008301405.tif 000004
【図３】
2008301405.tif 000005
【図４】
2008301405.tif 000006